(57)【特許請求の範囲】
【請求項１】
沈降し得る成分を含有する液体が収容される液体収容部と、
前記液体収容部から前記液体が流入される容器と、
前記容器内部に収納され、前記液体を攪拌させる攪拌子と、
前記容器は前記容器内部を構成する、前記攪拌子が移動する底面部と、を備えた液体供
給装置であって、
前記容器内部の中域部の鉛直方向における高さ（Ｈｔ）と、前記攪拌子の鉛直方向における高さ（Ｈｂ）と、の関係が下記式（１）を満たされていることと、
前記液体収容部に収容された前記液体の前記成分が所定の濃度であることと、
前記容器内の前記液体に含有される前記成分の沈降物の鉛直方向における高さ（Ｈｉ）と、前記Ｈｔと、前記Ｈｂと、の関係が下記式（２−１）と式（２−２）と、を満たすことと、
を特徴とする液体攪拌装置。
０．４０×Ｈｔ≦Ｈｂ≦０．９０×Ｈｔ      （１）
Ｈｉ÷Ｈｔ≦０．２６                （２−１）
２．５０×Ｈｉ≦Ｈｂ≦０．９０×（Ｈｔ−Ｈｉ）    （２−２）
【請求項２】
前記沈降し得る成分は、無機顔料、金属顔料及び中空樹脂粒子からなる群から選択される一種である、請求項１に記載の液体攪拌装置。
【請求項３】
前記底面部は、前記攪拌子を移動させる方向に対して直交する方向であって鉛直方向に直交する方向の断面視、鉛直方向下側に向かって湾曲する形状を成していることを特徴とする請求項１又は２に記載の液体攪拌装置。
【請求項４】
前記容器は、前記攪拌子を移動させる方向に設けられた側面部を有し、
前記側面部と前記底面部の接続部は、前記容器の外側に向かって湾曲する形状を成していることを特徴とする請求項１乃至３のいずれか１項に記載の液体攪拌装置。
【発明の詳細な説明】
【技術分野】
【０００１】
本発明は、液体攪拌装置に関する。
【背景技術】
【０００２】
従来から、インクを収容するインクタンクからインク供給管を介して、インクを吐出可能な吐出ヘッドに供給するインク供給システムについて知られている。このようなインク供給システムを用いた場合、吐出ヘッドにインクの供給が行われた後、インクの供給が長時間行われないと、インク供給管の流路内に残留したインクに含まれる成分が沈降することがある。インクに含まれる成分が沈降すると、再度吐出ヘッドにインクを供給する際に、吐出ヘッドにインクの安定供給ができなかったり、吐出不良が発生したりすることがある。
【０００３】
特に、インクの成分として無機顔料（例えば、酸化チタン等）や金属顔料（例えば、アルミニウム）等を含む場合には、溶媒との比重差の点から、これらの顔料が沈降しやすいという問題がある。
【０００４】
この問題に対して、例えば、特許文献１には、インク流路内に常に一定量のインクを保持させるサブタンクを設けたインク供給システムについて記載されている。また、特許文献１には、サブタンク内のインクを攪拌するためにサブタンク内に攪拌球を設けることについて記載されている。このようなサブタンクを設けることによって、インクに含まれる顔料等の成分の沈降を低減させることができる。
【先行技術文献】
【特許文献】
【０００５】
【特許文献１】特開２００６−２７２６４８号公報
【発明の概要】
【発明が解決しようとする課題】
【０００６】
しかしながら、特許文献１の従来技術では、攪拌球がサブタンク内で動きにくくなり、液体の攪拌効率が低下する場合があった。
【０００７】
本発明のいくつかの態様にかかる目的の１つは、上記課題を解決することによって、液体の攪拌効率に優れた液体攪拌装置と、これを用いて吐出不良の起こりにくい液体吐出装置を提供することにある。
【課題を解決するための手段】
【０００８】
本発明は上述の課題の少なくとも一部を解決するためになされたものであり、以下の態様または適用例として実現することができる。
【０００９】
［適用例１］本発明に係る液体攪拌装置の態様の１つは、沈降し得る成分を含有する液体が収容される液体収容部と、前記液体収容部から前記液体が充填される容器と、前記容器内部に収納され、前記液体を攪拌させる攪拌子と、前記容器は前記容器内部を構成する、前記攪拌子を移動させる底面部と、上面部と、を備えた液体供給装置であって、前記容器内部の中域部の鉛直方向における高さ（Ｈｔ）と、前記攪拌子の鉛直方向における高さ（Ｈｂ）と、の関係が下記式（１）を満たされていることと、を特徴とする液体攪拌装置。
０．４０×Ｈｔ≦Ｈｂ≦０．９０×Ｈｔ    ・・・（１）
【００１０】
適用例１に記載の発明によれば、Ｈｔ、Ｈｂが上記関係式を満たすことで、攪拌子が容器内を容易に移動することができ、液体の攪拌効率に優れた液体攪拌装置を得ることができる。
【００１１】
［適用例２］前記液体収容部に収容された液体が所定の濃度であることと、前記容器内の前記液体に含有される前記成分の沈降物の鉛直方向における高さ（Ｈｉ）と、前記Ｈｔと、前記Ｈｂと、の関係が下記式（２−１）と式（２−２）と、を満たすことと、を特徴とする適用例１に記載の液体攪拌装置。
Ｈｉ÷Ｈｔ≦０．２６                ・・・（２−１）
２．５０×Ｈｉ≦Ｈｂ≦０．９０×（Ｈｔ−Ｈｉ）    ・・・（２−２）
【００１２】
適用例２に記載の発明によれば、Ｈｔ、Ｈｂ、Ｈｉが上記関係式を満たすので、より良好に攪拌が可能となり、沈降物が固化した場合においても、液体の攪拌効率に優れた液体攪拌装置を得ることができる。
【００１３】
［適用例３］前記底面部は、前記攪拌子を移動させる方向であって鉛直方向に直交する方向の断面視、鉛直方向下側に向かって湾曲する形状を成していることを特徴とする適用例１又は２に記載の液体攪拌装置。
【００１４】
適用例３に記載の発明によれば、湾曲した部分に沈降した成分が集まりやすくなり、その湾曲部分を中心に攪拌子を移動させるので、沈降した成分の攪拌効率が上昇する。
【００１５】
［適用例４］前記容器は、前記攪拌子を移動させる方向に設けられた側面部を有し、前記側面部と前記底面部の接続部は、前記容器の外側に向かって湾曲する形状を成していることを特徴とする適用例１乃至３のいずれか１例に記載の液体攪拌装置。
【００１６】
適用例４に記載の発明によれば、接続部の付近の隙間が小さくなることで攪拌子が沈降した成分に接触しやすくなり、沈降した成分も効率よく攪拌が可能となり、攪拌効率が上昇する。
【図面の簡単な説明】
【００１７】
【図１】本実施形態に係る液体攪拌装置を模式的に示す側面図。
【図２】本実施形態に係る液体攪拌装置の容器の斜視図。
【図３】本実施形態に係る容器の中域部を説明する図。
【図４】本実施形態に係る吐出ヘッドがライン型の吐出ヘッドである場合の斜視図。
【図５】本実施形態に係る液体攪拌装置の変形例を示す図。
【図６】本実施形態に係る液体攪拌装置の変形例を示す図。
【図７】本実施形態に係る容器、攪拌子、沈降物の関係を示す図。
【図８】本実施形態に係る液体吐出装置を示す図。
【発明を実施するための形態】
【００１８】
以下、本発明の実施形態について説明するが、本発明はこれらに制限されるものではない。
【００１９】
１．液体攪拌装置
本実施形態に係る液体攪拌装置は、容器と、容器の内部に配置された攪拌子と、キャリッジと、を有する。図１に示す、本実施形態に係る液体攪拌装置１００は、液体収容部１０と、容器２０と、液体供給管３０と、吐出ヘッド３３と、を有している。容器２０および吐出ヘッド３３は、キャリッジ５０Ａに搭載されている。容器２０は、その内部に攪拌子１５を備えている。キャリッジ５０Ａは、所定の方向ＭＳＤ（以下、「長手方向」という。）に往復運動可能である。
【００２０】
１．１．液体収容部
本実施形態における液体攪拌装置１００は、液体収容部１０を有していてもよい。液体収容部１０は、所定の濃度の成分を含有した液体が収容されている。本明細書中においての「所定の濃度」とは、液体収容部１０内において沈降し得る成分が十分に攪拌されている場合の濃度のことをいう。図１に示す液体収容部１０は、液体供給管３０ａを介して容器２０と接続されている。これによって、液体を容器２０に流入させることができる。
【００２１】
本明細書中における液体とは、沈降し得る成分を含んでいればよく、例えば、サスペンジョン、エマルジョン等の分散体等を挙げることができる。液体収容部１０に収容されている液体としては、例えば、インク組成物、有機ＥＬディスプレー用材料、液晶ディスプレー等のカラーフィルター用材料、ＦＥＤ（面発光ディスプレー）用材料、電気泳動ディスプレー等の電極やカラーフィルター用材料、バイオチップ製造に用いられる生体有機材料等が挙げられる。
【００２２】
また、「沈降」とは、一定期間液体を放置しておいた場合に、含有されていた成分が沈殿し、含有されていた成分が液体の下層に積もることをいう。例えば、溶媒に対する比重が高い成分であって、インク組成物にあっては、例えば、無機顔料、金属顔料、および中空樹脂粒子から選択される１種を含むことができ、それらに結合または吸着した成分を含むことができる。
【００２３】
無機顔料としては、例えば、二酸化チタン、酸化ケイ素、酸化アルミニウム、酸化亜鉛、酸化鉄、カーボンブラックなどを挙げることができる。金属顔料としては、例えば、アルミニウム、金、銀、銅、チタン等の単体、またはそれらの合金などを挙げることができる。中空樹脂粒子としては、例えば、米国特許第４８８０４６５号や特許第３５６２７５４号などの明細書に記載されている中空樹脂粒子を挙げることができる。なお、中空樹脂粒子とは、その内部に空洞を有しており、その外殻が液体透過性を有する樹脂から形成されているものである。中空樹脂粒子は、白色顔料として使用することができる。
【００２４】
以下、液体収容部１０に収容される液体として代表的に使用される白色インク組成物について説明する。白色インク組成物は、顔料を定着させる樹脂を含むことができる。樹脂としては、ポリビニルアルコール、ポリエチレングリコール、ポリアクリル酸、ポリウレタン、ポリアクリルアミド、セルロース誘導体等が挙げられる。製品名でいうとアクリル系樹脂（例えば、アルマテックス、三井化学社製）、ウレタン系樹脂（例えば、ＷＢＲ−０２２Ｕ、大成ファインケミカル社製）等が挙げられる。
【００２５】
白色インク組成物は、アルカンジオールおよびグリコールエーテルから選択される１種を含有することが好ましい。アルカンジオールおよびグリコールエーテルは、被吐出媒体などの被記録面への濡れ性を高めてインクの浸透性を高めることができる。
【００２６】
アルカンジオールとしては、１，２−ブタンジオール、１，２−ペンタンジオール、１，２−ヘキサンジオール、１，２−ヘプタンジオール、１，２−オクタンジオールなどの炭素数が４以上８以下の１，２−アルカンジオールであることが好ましい。これらの中でも炭素数が６以上８以下の１，２−ヘキサンジオール、１，２−ヘプタンジオール、１，２−オクタンジオールは、被吐出媒体への浸透性が特に高いためより好ましい。
【００２７】
グリコールエーテルとしては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテルなどの多価アルコールの低級アルキルエーテルを挙げることができる。これらの中でも、トリエチレングリコールモノブチルエーテルを用いると良好な記録品質を得ることができる。
【００２８】
また、白色インク組成物は、アセチレングリコール系界面活性剤またはポリシロキサン系界面活性剤を含有することが好ましい。アセチレングリコール系界面活性剤またはポリシロキサン系界面活性剤は、被吐出媒体などの被記録面への濡れ性を高めてインクの浸透性を高めることができる。
【００２９】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３−オール、２，４−ジメチル−５−ヘキシン−３−オールなどが挙げられる。また、アセチレングリコール系界面活性剤は、市販品を利用することができ、例えば、オルフィン（登録商標）Ｅ１０１０、オルフィンＳＴＧ、オルフィンＹ（以上、日信化学社製）、サーフィノール（登録商標）１０４、８２、４６５、４８５、ＴＧ（以上、Ａｉｒ  Ｐｒｏｄｕｃｔｓ  ａｎｄ  Ｃｈｅｍｉｃａｌｓ  Ｉｎｃ製）が挙げられる。
【００３０】
ポリシロキサン系界面活性剤としては、市販品を利用することができ、例えば、ＢＹＫ−３４７、ＢＹＫ−３４８（ビックケミー・ジャパン社製）などが挙げられる。
【００３１】
さらに、白色インク組成物には、アニオン性界面活性剤、ノニオン性界面活性剤、両性界面活性剤などのその他の界面活性剤を含有することもできる。
【００３２】
白色インク組成物は、多価アルコールを含有することが好ましい。多価アルコールは、例えば、白色インク組成物をインクジェット記録装置に適用した場合に、インクの乾燥を抑制し、吐出ヘッド部分におけるインクの目詰まりを防止することができる。
【００３３】
多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどが挙げられる。
【００３４】
白色インク組成物は、溶媒として水を含有することができる。水は、イオン交換水、限外ろ過水、逆浸透水、蒸留水などの純水または超純水を用いることが好ましい。特に、これらの水を紫外線照射または過酸化水素添加などにより滅菌処理した水は、長期間に亘りカビやバクテリアの発生を抑制することができるので好ましい。
【００３５】
さらに、白色インク組成物は、必要に応じて、水溶性ロジンなどの定着剤、安息香酸ナトリウムなどの防黴剤・防腐剤、アロハネート類などの酸化防止剤・紫外線吸収剤、キレート剤、トリエタノールアミン等のｐＨ調整剤、酸素吸収剤などの添加剤を含有させることができる。これらの添加剤は、１種単独で用いることもでき、２種以上組み合わせて用いることもできる。
【００３６】
なお、白色インク組成物として、水系インク組成物を例として説明しているが、紫外線硬化型インク等を用いてもよい。紫外線硬化型インクを用いる場合には、沈降し得る成分として、例えば、光重合開始剤等を挙げることができる。
【００３７】
１．２．液体供給管
本実施形態における液体攪拌装置１００は、液体供給管３０を有してもよい。液体供給管３０は、液体供給管３０ａと液体供給管３０ｂとから構成されている。図１において、液体供給管３０ａは、液体収容部１０と、容器２０と、を接続し、液体収容部１０に収容されている液体を容器２０に流入させることができる。液体供給管３０ｂは、容器２０と吐出ヘッド３３をつなぐものであり、吐出ヘッド３３に液体を流入させることが出来る。
【００３８】
１．３．容器および攪拌子
本実施形態における液体攪拌装置１００は、キャリッジ５０Ａに搭載される。容器２０を備える液体攪拌装置１００がキャリッジ５０Ａに搭載されていると、容器２０のみを移動させるための機構を別に設ける必要がなく、キャリッジ５０Ａの移動機構を利用して容器２０を移動させることができる。
【００３９】
また、本実施形態における液体攪拌装置１００は、図１に示すように、容器２０の内部に移動自在に配置された攪拌子１５を有する。
【００４０】
攪拌子１５の形状としては、容器２０内を移動できる形状であればよく、例えば、球体、楕円体（例えば、ラグビーボール型）、円柱形、楕円柱形、多角柱体、直方体、立方体、多面体などを挙げられる。これらの中でも、攪拌子１５の形状が球体や楕円体であると、容器２０内での攪拌子１５の移動が容易になり、液体の攪拌を効率的に行うことができる。
【００４１】
攪拌子１５の材質としては、ケイ酸塩を主成分とするガラスや、酸化アルミニウム、酸化ジルコニウム、金属（例えば、アルミニウム、チタン、クロム、ニッケル、鉄、およびこれらのいずれかを含む合金）等を挙げることができる。
【００４２】
容器２０の取り付けられている向きや角度等は、攪拌子１５がキャリッジ５０Ａの往復運動に基づいて容器２０内を移動するのであれば、特に限定されるものではない。
【００４３】
本実施形態に係る液体攪拌装置１００の容器２０の形状としては、直方体形状、円筒形状、楕円筒形状等に限定されず、立方体、円柱形状等でもよい。なお、本明細書において、容器２０の形状とは、攪拌子１５が配置されている容器２０の内部形状のことをいう。
【００４４】
容器２０は、図２（ａ）のように、底面部２２と、底面部２２に対して対向する上面部２４と、底面部２２と上面部２４に接続された側面部２６ａ、２６ｂ、２６ｃ、２６ｄにより、囲まれた形状を成している。そして、図示した長手方向ＭＳＤで対向する第１側面部２６ａと第２側面部２６ｂとを有している。液体供給管３０ａは第１側面部２６ａに、液体供給管３０ｂは第２側面部２６ｂに接続されている。さらに、攪拌子１５を移動させる方向ＭＳＤ及び鉛直方向ＶＤに直交する方向で対向する第３側面部２６ｃと第４側面部２６ｄを有している。なお、液体供給管３０ａと第１側面部２６ａ及び液体供給管３０ｂと第２側面部２６ｂとの接続位置は特に限定されるものではなく、底面部２２、上面部２４、第３側面部２６ｃ、第４側面部２６ｄのいずれかに接続されていても良い。また、液体供給管３０ａ及び３０ｂが双方とも上述の容器２０の同一の面に接続されていても良い。
なお、例えば、図２（ｂ）のように上面部、底面部、第３側面部、第４側面部が一体となった、いわゆる円筒部１２２となっている場合は、円筒部１２２は、上面部、底面部、第３側面部、第４側面部それぞれを含む概念となる。
【００４５】
攪拌子１５が主として移動する領域である中域部１８について説明する。本発明においての中域部とは、容器の長手方向の断面視において、底面部と、上面部と、底面部と上面部とを結ぶ直線とで囲まれた領域のことを言う。具体的には、図を用いて説明する。
【００４６】
図３（ａ）においては、容器は直方体の形状を成し、第１側面部２６ａと第２側面部２６ｂは湾曲する形状を成していない。この場合、底面部２２と、上面部２４と、底面部２２のＡ１と上面部２４のＡ２とを結ぶ直線と、底面部２２のＢ１と上面部２４のＢ２とを結ぶ直線と、によって囲まれた領域（図３（ａ）においての斜線領域）が中域部１８に相当する。つまり、図３（ａ）のような形状の場合は、容器２０の内部全体が中域部１８となる。
【００４７】
また、図３（ｂ）においては、図３（ａ）とは異なり、第１側面部２６ａと第２側面部２６ｂが外側に向かって湾曲する形状を成している。この場合は、底面部２２と、上面部２４と、底面部２２のＡ１と上面部２４のＡ２とを結ぶ直線と、底面部２２のＢ１と上面部２４のＢ２とを結ぶ直線と、によって囲まれた領域（図３（ｂ）においての斜線領域）が中域部１８に相当する。つまり、第１側面部２６ａと第２側面部２６ｂは中域部１８に含まれない。
【００４８】
さらに、図３（ｃ）においては、底面部２２と上面部２４の大きさが異なっている。この場合も、底面部２２と、上面部２４と、底面部２２のＡ１と上面部２４のＡ２とを結ぶ直線と、底面部２２のＢ１と上面部２４のＢ２とを結ぶ直線と、によって囲まれた領域（図３（ｃ）においての斜線領域）が中域部１８に相当する。
【００４９】
また、容器２０の好ましい形状としては、底面部２２は、攪拌子１５を移動させる方向に対して直交する方向であって鉛直方向に直交する方向の断面視において、鉛直方向下側に湾曲する形状を成していると好ましい。このような形状を備えている事により、沈降物が湾曲部分に集まりやすくなり攪拌効率が向上する。また、攪拌子１５の一部の形状と底面部２２の形状が同様の形状に形成されていても好ましい。例えば、底面部２２の形状が鉛直方向下側に湾曲した形状に形成されているならば、攪拌子１５の形状は球形又は惰円球系の形状であると良い。これにより、攪拌子１５と底面部２２との接触面が多くなり沈降した沈降物の攪拌効率が向上する。
【００５０】
側面部２６と底面部２２との接続部の形状は、攪拌子１５の形状の一部と同様の形状に形成されていると好ましい。例えば、接続部の形状が湾曲している形状であるならば、攪拌子１５の形状は球形又は惰円球系の形状であると良い。これにより、接続部に攪拌子１５が接触しやすくなり、接続部付近に沈降した沈降物の攪拌効率が上昇する。
【００５１】
また、側面部２６と底面部２２との接続部の形状は、容器の外側に向かって湾曲している形状を成していても好ましい。これにより、接続部の隙間が小さくなり、隙間に沈降物が堆積するのを減少させることができ、攪拌効率が上昇する。
【００５２】
具体的に説明を行うと、図２（ａ）のように攪拌子１５が球形を成していて、容器２０の底面部２２が、攪拌子１５を移動させる方向に対して直交する方向であって鉛直方向に直交する方向の断面視において、鉛直方向下側に湾曲していた場合は、底面部２２の湾曲部分に沈降物が集まりやすく、さらに攪拌子１５と底面部２２との接触面が多くなり沈降した沈降物攪拌効率が向上する。
【００５３】
さらに、図２（ｃ）の容器２２０においては、第１側面部２２６ａ、第２側面部２２６ｂが容器２２０の外側に向かって湾曲している形状であり、攪拌子１５が球形であり、面部、底面部、第３側面部、第４側面部が一体となり円筒部２２２を有している。容器２２０が円筒部２２２を備えていることにより湾曲部分に沈降物が集まりやすく、さらに攪拌子１５と円筒部２２２との接触面が多くなり沈降した沈降物の攪拌効率が向上する。また、円筒部２２２と第１側面部２２６ａ及び第２側面部２２６ｂとの接続部２２７において、攪拌子１５との接触面が多くなり、隙間に堆積する沈降物の量も少なくなるので攪拌効率が上昇する。
【００５４】
なお、図２（ｃ）においては、第１側面部２２６ａと第２側面部２２６ｂの双方が容器２２０の外側に向かって湾曲する形状を成しているが、必ずしも両者が、外側に向かって湾曲する形状を成している必要は無く、どちらか一方のみであっても上述の効果に近い効果が得られる。
【００５５】
１．４．攪拌手段
また、本実施形態では、上述のようにキャリッジ５０Ａの往復運動に基づいて攪拌子１５を用いて攪拌を行っているが、攪拌手段はこれに特に限定はされない。例えば、特開２００２−２２５２５５号公報に記載されているようなＸ・Ｙ移動機構（Ｘ―Ｙ平面を移動する）を備えたキャリッジに搭載されていても良い。また、図４に示すように、ライン型の吐出ヘッド３４において、ライン型の吐出ヘッド３４傍らに容器２０があっても良い。この場合、図５（ａ）のように、振動装置３５に容器２０を取り付けて、攪拌子１５を移動させて攪拌を行っても良い。
【００５６】
また、図５（ｂ）のように容器２０を交互に傾ける傾斜装置３６を用いて攪拌子１５を動かし、攪拌を行っても良い。その他、図５（ｃ）のように容器２０の外側から磁石３７を動かして磁性金属製の攪拌子１５を移動させても良い。
【００５７】
本実施形態における攪拌手段は、攪拌子を一方向に移動させて攪拌させるものに限定されない。例えば、図６に示すように、Ｘ―Ｙ平面で稼動する可動装置３９に容器２０を取付け、容器２０の中の攪拌子１５を可動装置３９を介し容器２０内を移動させ、攪拌を行っても良い。その他、液体攪拌装置は攪拌子１５を移動させる公知の攪拌手段を採用出来る。
【００５８】
１．５．容器、攪拌子、および沈降物の関係
本実施形態における液体攪拌装置は、容器の内部の鉛直方向の高さ（Ｈｔ）と、攪拌子の鉛直方向における高さ（Ｈｂ）と、の関係が下記式（１）を満たす。
０．４０×Ｈｔ≦Ｈｂ≦０．９０×Ｈｔ    （１）
【００５９】
ここで、容器２０の内部の鉛直方向における高さ（Ｈｔ）とは、容器２０内において、鉛直方向の高さが最大の地点を通る所定の方向（長手方向）の断面視、鉛直方向における最小の高さのことをいう。また、攪拌子の鉛直方向における高さ（Ｈｂ）とは、攪拌子１５の鉛直方向における最大の高さのことをいう。
【００６０】
図７（Ａ）は、容器２０内に液体が供給されて、ＨｔとＨｂを含め、液体中の沈降し得る成分の全てが沈降した状態を表す説明図である。
【００６１】
本実施形態に係る液体攪拌装置１００に備える容器２０は、上述したように、Ｈｔと、Ｈｂと、の関係が上記式（１）を満たす。これにより、攪拌子１５が容器２０内を容易に移動することができ、容器２０内の沈降物ＨＩと液体とを十分に攪拌することができる。特に、沈降物ＨＩが容器２０の底面部２２において固化しておらず、攪拌子１５が容器２０の底面部２２に接触しながら移動することができる場合には、上記式（１）を満たすことにより、攪拌子１５が容器２０内の沈降物ＨＩと液体とを効果的に攪拌することができる。
【００６２】
これに対して、ＨｂがＨｔの４０％未満であると、ＨｂがＨｔに対して小さくなりすぎるため、液体の攪拌効率が低下して、沈降物ＨＩと液体とを十分に攪拌できない場合がある。また、ＨｂがＨｔの９０％を超えると、攪拌子１５が液体の抵抗を受けやすくなり、沈降物ＨＩと液体とを十分に攪拌できない場合がある。
【００６３】
さらに、本実施形態における液体攪拌装置１００に備える容器２０は、上記式（１）を満たすとともに、容器２０内に生じ得る沈降物ＨＩの鉛直方向における高さ（Ｈｉ）と、Ｈｔと、Ｈｂと、の関係が下記式（２−１）及び（２−２）を満たすことが好ましい。
Ｈｉ÷Ｈｔ≦０．２６                    （２−１）
２．５０×Ｈｉ≦Ｈｂ≦０．９０×（Ｈｔ−Ｈｉ）    （２−２）
【００６４】
沈降物ＨＩの鉛直方向における高さ（Ｈｉ）とは、液体収容部１０と同じ所定の濃度の沈降し得る成分を含む液体を、容器２０内の底面部２２に全て沈降させ、容器内におけるその沈降物ＨＩの上面が水平になるようにした場合における、沈降物ＨＩの最大の高さのことをいう。
【００６５】
本実施形態に係る液体攪拌装置１００に備える容器２０は、式（２−１）に示すように、Ｈｂが［０．９０×（Ｈｔ−Ｈｉ）］以下であることが好ましい。これにより、沈降物ＨＩが固化した際に攪拌子１５が沈降物ＨＩに乗り上げても、攪拌子１５の移動が阻害されにくくなり容器２０内を容易に移動できるため、容器２０内の沈降物ＨＩと液体とを十分に攪拌することができる。なお、「固化」とは、沈降物ＨＩ上に攪拌子１５が移動した場合に、攪拌子１５が容器２０の底面部２２に接触しない状態のことをいう。具体的な位置関係については図７（Ｂ）に示す。
【００６６】
これに対して、Ｈｂが［０．９０×（Ｈｔ−Ｈｉ）］を超えると、攪拌子１５が液体の抵抗を受けやすくなったり、攪拌子１５が容器２０内で詰まって動けなくなったりして、液体と沈降物ＨＩとを攪拌しにくくなる場合がある。
【００６７】
本実施形態に係る液体攪拌装置１００に備える容器２０は、式（２−１）を満たす。式（２−１）を満たさない場合、式（２−２）を満たす関係のものが得られなくなってしまう。
【００６８】
式（２−２）において、ＨｂがＨｉの２．５０倍以上となるように設定することが好ましい。特に、沈降物ＨＩが固化している場合において、ＨｂがＨｉの２．５０倍以上であると、攪拌子１５の一部が沈降物ＨＩで埋まっても、攪拌子１５がキャリッジ５０Ａの動作によって容器２０内を移動することができる。
【００６９】
これに対して、ＨｂがＨｉの２．５０倍未満であると、攪拌子１５が沈降物ＨＩに埋まって動けない場合がある。
【００７０】
２．液滴吐出装置
本発明に係る液滴吐出装置は、上記の液体攪拌装置１００を含む。本実施形態では、液体攪拌装置１００を有する液滴吐出装置３００についてインクジェットプリンターを用いて説明する。
【００７１】
図８は、液体攪拌装置１００を含む液滴吐出装置３００を模式的に示す斜視図である。本実施形態にかかる液滴吐出装置３００は、図８示すように、制御部３６０と、液体収容部１０と、液体供給管３０と、駆動部５０と、搬送部７０と、を含む。
【００７２】
駆動部５０は、キャリッジ５０Ａと、駆動ベルト５０Ｂと、キャリッジモーター５０Ｃと、を有することができる。駆動部５０は、フレキシブルケーブル６２を介して制御部と電気的に接続され、制御部によって制御されている。また、駆動部５０は、吐出ヘッド３３が搭載されたキャリッジ５０Ａを往復動作させる機能を有する。具体的には、キャリッジ５０Ａの駆動源となるキャリッジモーター５０Ｃの動力によって、キャリッジ５０Ａと接続されている駆動ベルト５０Ｂを駆動させ、キャリッジ５０Ａを往復動作させる。
【００７３】
吐出ヘッド３３は、液滴を吐出する複数のノズルを有することができる。また、吐出ヘッド３３の液滴の吐出方法は、特に限定されるものではなく、例えばインクジェット吐出方法を利用することができる。インクジェット吐出方法としては、従来公知の方法はいずれも使用でき、例えば、ピエゾ式インクジェット、サーマル式インクジェット等を挙げることができる。
【００７４】
被吐出媒体は搬送部７０により搬送され、搬送の過程でキャリッジ５０Ａに搭載された吐出ヘッド３３により液体収容部１０からの液体が吐出される。その後、図示しない排出部により装置外へ排出される。
【００７５】
本発明の液滴吐出装置３００は、例示したインクジェットプリンター等の画像記録装置以外にも、液晶ディスプレー等のカラーフィルターの製造に用いられる色材噴射装置、有機ＥＬディスプレー、ＦＥＤ（面発光ディスプレー）、電気泳動ディスプレー等の電極やカラーフィルターの形成に用いられる液体材料噴射装置、バイオチップ製造に用いられる生体有機材料噴射装置としても好適に用いられる。
【００７６】
３．実施例
以下、本発明を実施例により具体的に説明するが、本発明はこれらに限定されるものではない。
【００７７】
３．１．白色インク組成物の調製
下記の組成からなる白色インク組成物を調製した。
【００７８】
（１）第１白色インク組成物
二酸化チタン（平均粒径２４０ｎｍ）：１０質量％
スチレン−アクリル酸共重合体：２質量％
１，２−ヘキサンジオール：５質量％
グリセリン：１０質量％
トリエタノールアミン：０．９質量％
ＢＹＫ−３４８（ビックケミー・ジャパン株式会社製）：０．５質量％
超純水：残分
合計１００質量％
【００７９】
（２）第２白色インク組成物
上述の第１白インク組成物における二酸化チタンを２０質量％とし、それ以外の組成は、第１白色インク組成物と同様である。
【００８０】
（３）第３白色インク組成物
上述の第１白インク組成物における二酸化チタンを２３質量％とし、それ以外の組成は、第１白色インク組成物と同様である。
【００８１】
３．２．試験用のサンプルの作成
３．２．１．第１評価試験用のサンプルの作成
内部に攪拌子が配置されており、直径（Ｈｔ）１５ｍｍ、高さ６５ｍｍの円筒形状の容器を用いて、容器内部に上記「３．１．（１）」で調製した第１白色インク組成物で満たして密閉した。次いで、遠心分離機（卓上多本架遠心機ＬＣ−１３１、トミー工業株式会社製）を用いて、容器内の第１白色インク組成物に含まれる沈降し得る成分と液体とを分離した。なお、遠心分離は、回転半径２１ｃｍ、遠心加速度６００ｒｐｍの条件下で、２時間行った。また、遠心分離後において、沈降物は固化しておらず、攪拌子が容器の底面に接触している状態であった。なお、攪拌子は、球体のステンレス鋼（比重７．９）であって、直径（Ｈｂ）が容器の直径（Ｈｔ）に対して９５％（１４．３ｍｍ）となるものを用いた。
【００８２】
その後、インクジェットプリンター（製品名「ＥＰＳＯＮ  ＰＸ−Ｇ９３０」、セイコーエプソン株式会社製）のキャリッジに、容器の長手方向がキャリッジの移動方向（水平方向）に平行となるように取り付けた。なお、容器は密閉状態として、容器内にインク組成物の供給や、容器からヘッドにインク組成物の供給が行われないようにした。
次いで、キャリッジを４６ｃｍ／秒の速度で、２３ｃｍの距離を１００回往復運動させて、容器内の第１白色インク組成物の攪拌を行った。その後、容器内の液体を１ｇ取り出して、第１評価試験用のサンプル（１−１）を得た。
【００８３】
第１評価試験用のサンプル（１−２）は、容器の直径（Ｈｔ）に対して９０％（１３．５ｍｍ）の攪拌子を用いた以外は、上記「サンプル（１−１）」と同様である。
第１評価試験用のサンプル（１−３）は、容器の直径（Ｈｔ）に対して７０％（１０．５ｍｍ）の攪拌子を用いた以外は、上記「サンプル（１−１）」と同様である。
第１評価試験用のサンプル（１−４）は、容器の直径（Ｈｔ）に対して５０％（７．５ｍｍ）の攪拌子を用いた以外は、上記「サンプル（１−１）」と同様である。
第１評価試験用のサンプル（１−５）は、容器の直径（Ｈｔ）に対して４０％（６．０ｍｍ）の攪拌子を用いた以外は、上記「サンプル（１−１）」と同様である。
第１評価試験用のサンプル（１−６）は、容器の直径（Ｈｔ）に対して３０％（４．５ｍｍ）の攪拌子を用いた以外は、上記「サンプル（１−１）」と同様である。
第１評価試験用のサンプル（１−７）は、攪拌子を用いなかった以外は、上記「サンプル（１−１）」と同様である。
【００８４】
上記「３．１．（２）」で得られた第２白色インク組成物を用いた以外は、上記「サンプル（１−１）」と同様にした。このようにして、第１評価試験用のサンプル（１−８）を得た。なお、遠心分離後において、沈降物は固化しておらず、攪拌子が容器の底面に接触している状態であった。
【００８５】
直径（Ｈｔ）２５ｍｍ、高さ７５ｍｍの円筒形状の容器を用い、容器の直径（Ｈｔ）に対して９５％（２３．８ｍｍ）の攪拌子を用いた以外は、上記「サンプル（１−１）」と同様にした。このようにして、第１評価試験用のサンプル（１−９）を得た。
【００８６】
第１評価試験用のサンプル（１−１０）は、容器の直径（Ｈｔ）に対して９０％（２２．５ｍｍ）の攪拌子を用いた以外は、上記「サンプル（１−９）」と同様である。
第１評価試験用のサンプル（１−１１）は、容器の直径（Ｈｔ）に対して４０％（１０．０ｍｍ）の攪拌子を用いた以外は、上記「サンプル（１−９）」と同様である。
第１評価試験用のサンプル（１−１２）は、容器の直径（Ｈｔ）に対して３０％（７．５ｍｍ）の攪拌子を用いた以外は、上記「サンプル（１−９）」と同様である。
【００８７】
第１評価試験用のサンプル（１−１３）は、縦１５ｍｍ×横１５ｍｍ×高さ６５ｍｍの直方体の容器を、容器の高さ方向がキャリッジの移動方向と平行になるように取り付け、容器の直径（Ｈｔ）に対して９０％（１３．５ｍｍ）の球体の攪拌子を用いた以外は、上記「サンプル（１−１）」と同様である。
【００８８】
第１評価試験用のサンプル（１−１４）は、容器の直径（Ｈｔ）に対して４０％（６．０ｍｍ）の攪拌子を用いた以外は、上記「サンプル（１−１３）」と同様である。
第１評価試験用のサンプル（１−１５）は、容器の直径（Ｈｔ）に対して４０％（６．０ｍｍ）の立方体の攪拌子を用いた以外は、上記「サンプル（１−１３）」と同様である。
【００８９】
３．２．２．第２評価試験用のサンプルの作成
内部に攪拌子が配置されており、直径（Ｈｔ）１５ｍｍ、高さ６５ｍｍの円筒形状の容器を用いて、容器内部に上記「３．１．（１）」で調製した第１白色インク組成物で満たして密閉した。次いで、遠心分離器を用いて、容器内の第１白色インク組成物に含まれる沈降し得る成分と液体とを分離した。なお、遠心分離は、回転半径２１ｃｍ、遠心加速度６００ｒｐｍの条件下で、２時間行った。そして、遠心分離後、容器を２０℃で１ヶ月放置した。なお、１ヶ月放置後の容器内の沈降物は固化していた。また、攪拌子１５は、球体のステンレス鋼（比重７．９）であって、直径（Ｈｂ）が容器の直径（Ｈｔ）に対して９５％（１４．３ｍｍ）となるものを用いた。
【００９０】
また、容器内における第１白色インク組成物に含まれる沈降し得る成分（二酸化チタン）の体積は、容器の体積に対して８％である。また、容器内における第１白色インク組成物に含まれる沈降し得る成分（二酸化チタン）を、沈降物の鉛直方向における高さ（Ｈｉ）は、２．０６ｍｍ（容器の直径（Ｈｔ）の１３．３％）であった。
【００９１】
容器を１ヶ月放置した後、インクジェットプリンター（製品名「ＥＰＳＯＮ  ＰＸ−Ｇ９３０」、セイコーエプソン株式会社製）のキャリッジに、容器の長手方向がキャリッジの移動方向（水平方向）に平行となるように取り付けた。なお、容器は密閉状態として、容器内にインク組成物の供給や、容器からヘッドにインク組成物の供給が行われないようにした。
【００９２】
次いで、キャリッジを４６ｃｍ／秒の速度で、２３ｃｍの距離を１００回往復運動させて、容器内の第１白色インク組成物の攪拌を行った。その後、容器内の液体を１ｇ取り出して、第２評価試験用のサンプル（２−１）を得た。
【００９３】
第２評価試験用のサンプル（２−２）は、容器の直径（Ｈｔ）に対して９０％（１３．５ｍｍ）の攪拌子を用いた以外は、上記「サンプル（２−１）」と同様である。
第２評価試験用のサンプル（２−３）は、容器の直径（Ｈｔ）に対して８０％（１２．０ｍｍ）の攪拌子を用いた以外は、上記「サンプル（２−１）」と同様である。
第２評価試験用のサンプル（２−４）は、容器の直径（Ｈｔ）に対して７５％（１１．３ｍｍ）の攪拌子を用いた以外は、上記「サンプル（２−１）」と同様である。
第２評価試験用のサンプル（２−５）は、容器の直径（Ｈｔ）に対して７０％（１０．５ｍｍ）の攪拌子を用いた以外は、上記「サンプル（２−１）」と同様である。
第２評価試験用のサンプル（２−６）は、容器の直径（Ｈｔ）に対して６０％（９．０ｍｍ）の攪拌子を用いた以外は、上記「サンプル（２−１）」と同様である。
第２評価試験用のサンプル（２−７）は、容器の直径（Ｈｔ）に対して５０％（７．５ｍｍ）の攪拌子を用いた以外は、上記「サンプル（２−１）」と同様である。
第２評価試験用のサンプル（２−８）は、容器の直径（Ｈｔ）に対して４０％（６．０ｍｍ）の攪拌子を用いた以外は、上記「サンプル（２−１）」と同様である。
第２評価試験用のサンプル（２−９）は、容器の直径（Ｈｔ）に対して３０％（４．５ｍｍ）の攪拌子を用いた以外は、上記「サンプル（２−１）」と同様である。
第２評価試験用のサンプル（２−１０）は、攪拌子を用いなかった以外は、上記「サンプル（２−１）」と同様である。
【００９４】
第２評価試験用のサンプル（２−１１）は、上記「３．１．（２）」で得られた第２白色インク組成物を用い、容器の直径（Ｈｔ）に対して９５％（１４．３ｍｍ）の球体の攪拌子を用いた以外は、上記「サンプル（２−１）」と同様である。なお、容器内における第２白色インク組成物に含まれる沈降し得る成分（二酸化チタン）の体積は、容器の体積に対して１６％である。また、容器内における第１白色インク組成物に含まれる沈降し得る成分（二酸化チタン）を、沈降物の鉛直方向における高さ（Ｈｉ）は、３．３０ｍｍ（容器の直径（Ｈｔ）の２１．３％）である。
【００９５】
第２評価試験用のサンプル（２−１２）は、容器の直径（Ｈｔ）に対して９０％（１３．５ｍｍ）の攪拌子を用いた以外は、上記「サンプル（２−１１）」と同様である。
第２評価試験用のサンプル（２−１３）は、容器の直径（Ｈｔ）に対して７５％（１１．３ｍｍ）の攪拌子を用いた以外は、上記「サンプル（２−１１）」と同様である。
第２評価試験用のサンプル（２−１４）は、容器の直径（Ｈｔ）に対して７０％（１０．５ｍｍ）の攪拌子を用いた以外は、上記「サンプル（２−１１）」と同様である。
第２評価試験用のサンプル（２−１５）は、容器の直径（Ｈｔ）に対して５５％（８．３ｍｍ）の攪拌子を用いた以外は、上記「サンプル（２−１１）」と同様である。
第２評価試験用のサンプル（２−１６）は、容器の直径（Ｈｔ）に対して５０％（７．５ｍｍ）の攪拌子を用いた以外は、上記「サンプル（２−１１）」と同様である。
第２評価試験用のサンプル（２−１７）は、容器の直径（Ｈｔ）に対して４０％（６．０ｍｍ）の攪拌子を用いた以外は、上記「サンプル（２−１１）」と同様である。
第２評価試験用のサンプル（２−１８）は、容器の直径（Ｈｔ）に対して３０％（４．５ｍｍ）の攪拌子を用いた以外は、上記「サンプル（２−１１）」と同様である。
第２評価試験用のサンプル（２−１９）は、攪拌子を用いなかった以外は、上記「サンプル（２−１１）」と同様である。
【００９６】
第２評価試験用のサンプル（２−２０）は、上記「３．１．（３）」で得られた第３白色インク組成物を用い、容器の直径（Ｈｔ）に対して９５％（１４．３ｍｍ）の球体の攪拌子を用いた以外は、上記「サンプル（２−１）」と同様である。なお、容器内における第３白色インク組成物に含まれる沈降し得る成分（二酸化チタン）の体積は、容器の体積に対して１８．５％である。また、容器内における第１白色インク組成物に含まれる沈降し得る成分（二酸化チタン）を、容器内に全て沈降させた際の沈降物の鉛直方向における高さ（Ｈｉ）は、３．７２ｍｍ（容器の直径（Ｈｔ）の２４．０％）である。
【００９７】
第２評価試験用のサンプル（２−２１）は、容器の直径（Ｈｔ）に対して９０％（１３．５ｍｍ）の攪拌子を用いた以外は、上記「サンプル（２−２０）」と同様である。
第２評価試験用のサンプル（２−２２）は、容器の直径（Ｈｔ）に対して７０％（１０．５ｍｍ）の攪拌子を用いた以外は、上記「サンプル（２−２０）」と同様である。
第２評価試験用のサンプル（２−２３）は、容器の直径（Ｈｔ）に対して６５％（９．８ｍｍ）の攪拌子を用いた以外は、上記「サンプル（２−２０）」と同様である。
第２評価試験用のサンプル（２−２４）は、容器の直径（Ｈｔ）に対して６０％（９．０ｍｍ）の攪拌子を用いた以外は、上記「サンプル（２−２０）」と同様である。
第２評価試験用のサンプル（２−２５）は、容器の直径（Ｈｔ）に対して５０％（７．５ｍｍ）の攪拌子を用いた以外は、上記「サンプル（２−２０）」と同様である。
第２評価試験用のサンプル（２−２６）は、容器の直径（Ｈｔ）に対して３０％（４．５ｍｍ）の攪拌子を用いた以外は、上記「サンプル（２−２０）」と同様である。
第２評価試験用のサンプル（２−２７）は、攪拌子を用いなかった以外は、上記「サンプル（２−２０）」と同様である。
【００９８】
３．３．評価試験
３．３．１．第１評価試験
上記の様にして得られたサンプル（１−１）〜（１−１５）のサンプル１ｇに、蒸留水を加えて１０００倍に希釈した。次いで、分光光度計（製品名「Ｓｐｅｃｔｒｏｐｈｏｔｏｍｅｔｅｒ  Ｕ−３３００」、株式会社日立製作所製）を用いて、希釈した白色インク組成物の波長５００ｎｍにおける吸光度（Ａｂｓ値）を測定した。このようにして得られた各サンプルの吸光度と、上記の遠心分離操作前の白色インク組成物の吸光度と、を比較して、下記式（３）を用いて吸光度の回復率を求めた。
【００９９】
吸光度の回復率（％）＝１００×（サンプルの吸光度）／（遠心分離操作前の吸光度）    （３）
【０１００】
なお、吸光度の回復率が高い程、インク組成物の攪拌効率が優れていることを示す。また、第１評価試験における評価基準の分類については、以下の通りである。
【０１０１】
◎：吸光度の回復率が８０％以上
○：吸光度の回復率が７０％以上８０％未満
×：吸光度の回復率が７０％未満
【０１０２】
３．３．２．第２評価試験
上記の様にして得られたサンプル（２−１）〜（２−２７）を、上記「３．３．１．第１評価試験」と同様にして、吸光度の回復率を求めた。なお、第２評価試験における評価基準の分類については、以下の通りである。
【０１０３】
◎：吸光度の回復率が８０％以上
○：吸光度の回復率が７０％以上８０％未満
×：吸光度の回復率が７０％未満
【０１０４】
３．４．評価結果
第１評価試験の結果を表１に示す。また、第２評価試験の結果を表２、表３に示す。
【０１０５】
【表１】
0005659616.tif 000002
【０１０６】
【表２】
0005659616.tif 000003
【０１０７】
【表３】
0005659616.tif 000004
【０１０８】
３．４．１．式（１）について
第１評価試験において、表１より、サンプル（１−２）〜（１−５）、（１−８）、（１−１０）〜（１−１１）、（１−１３）〜（１−１５）の容器および攪拌子を用いると、いずれも吸光度の回復率に優れ、攪拌効率に優れた液体攪拌装置が得られることが確認できた。一方、サンプル（１−１）、（１−６）、（１−７）、（１−９）、（１−１２）の容器および攪拌子を用いると、いずれも吸光度の回復率に優れず、攪拌効率に優れない液体攪拌装置が得られることが確認できた。
【０１０９】
第２評価試験結果の表２より、サンプル（２−２）〜（２−８）、（２−１２）〜（２−１７）、（２−２１）〜（２−２５）の容器および攪拌子を用いると、いずれも吸光度の回復率に優れ、攪拌効率に優れた液体攪拌装置が得られることが確認できた。一方、サンプル（２−１）、（２−９）〜（２−１１）、（２−１８）〜（２〜２０）、（２−２６）、（２−２７）の容器および攪拌子を用いると、いずれも吸光度の回復率に優れず、攪拌効率に優れない液体攪拌装置が得られることが確認できた。
【０１１０】
上記より式（１）を満たすことにより高い攪拌効率が得られることが分かる。
０．４０×Ｈｔ≦Ｈｂ≦０．９０×Ｈｔ    ・・・（１）
【０１１１】
３．４．２．式（２−１）、（２−２）について
第２評価試験結果の表３より、サンプル（２−４）〜（２−８）、（２−１４）、（２−１５）、（２−２３）、（２−２４）の容器および攪拌子を用いると、沈降物が固化していた場合でもあっても、より一層高い攪拌効率が得られることが示された。一方、サンプル（２−１）〜（２−３）、（２−９）〜（２−１３）、（２−１６）〜（２−２２）、（２−２５）〜（２−２７）の容器および攪拌子を用いると、沈降物によって攪拌子の移動が著しく妨げられて、攪拌効率に優れない液体攪拌装置が得られることが示された。
【０１１２】
上記より式（２−１）、（２−２）を満たすことにより一層高い攪拌効率が得られることが分かる。
【符号の説明】
【０１１３】
１０…液体収容部、１５…攪拌子、１８…中域部、２０，１２０，２２０…容器、２２…底面部、２４…上面部、２６ａ，２２６ａ…第１側面部、２６ｂ，２２６ｂ…第２側面部、２２７…接続部、２６ｃ…第３側面部、２６ｄ…第４側面部、３０ａ，３０ｂ…液体供給管、３３…吐出ヘッド、３４…ライン型の吐出ヘッド、３５…振動装置、３６…傾斜装置、３７…磁石、３９…可動装置、５０…駆動部、５０Ａ…キャリッジ、５０Ｂ…駆動ベルト、５０Ｃ…キャリッジモーター、６２…フレキシブルケーブル、７０…給紙部、７２…給紙ローラー、１００…液体攪拌装置、１２２，２２２…円筒部、３００…液滴吐出装置。
【図１】
0005659616.tif 000005
【図２】
0005659616.tif 000006
【図３】
0005659616.tif 000007
【図４】
0005659616.tif 000008
【図５】
0005659616.tif 000009
【図６】
0005659616.tif 000010
【図７】
0005659616.tif 000011
【図８】
0005659616.tif 000012